(57)【要約】【課題】２層構造のＤＶＤ−Ｒを実現するためにルールを設定し、安定した記録再生を可能とする光ディスク及びその記録再生方法を提供する。【解決手段】２層の追記型の光ディスク１００において、それぞれの層Ｌ０，Ｌ１のアドレスの半径方向の相対位置のずれ量を、アドレスの差として表し、前記差の情報を、この光ディスクの記録可能な管理情報領域に記録している。【選択図】      図２
2006024290.tif 000002
【特許請求の範囲】
【請求項１】
２層の追記型の光ディスクにおいて、それぞれの層のアドレスの半径方向の相対位置のずれ量を、アドレスの差として表し、前記差の情報を、この光ディスクの記録可能な管理情報領域に記録したことを特徴とする光ディスク。
【請求項２】
２層の追記型の光ディスクにおいて、それぞれの層に記録単位毎に記録位置を示すアドレスがらせん状のトラックに記録されており、アドレスＡＳからアドレスＡＥまでの記録単位からなり、前記アドレスＡＳの領域の先端から前記アドレスＡＥの領域の後端までが少なくとも１周以上ある領域が定義でき、理想状態において同一半径にあるとされる各層の領域Ａ０とＡ１の半径方向のずれの最大量が規定されていることを特徴とする光ディスク。
【請求項３】
記録単位毎に記録位置を示すアドレスがらせん状のトラックに記録されており、ある特定のアドレスの位置の半径または直径と、アドレスあたりの記録面積を表す値の少なくともどちらか一方の情報とがディスクの記録可能な管理情報領域に記録されていることを特徴とする光ディスク。
【請求項４】
２層タイプの光ディスクの層間の物理アドレスの誤差管理情報が、前記光ディスクの管理情報記録領域に記録されており、この光ディスクに情報を記録する方法であって、
前記２層のうち光ビームを集光させる対物レンズから近い方の層を第１の層Ｌ０、遠い方の層を第２の層Ｌ１とし、前記第２の層Ｌ１に情報を記録する際、前記誤差管理情報を用いて前記第２の層のアドレスに対する第１の層Ｌ０のアドレスを認識し、
この第１の層Ｌ０のアドレスに情報が記録済みか否かに応じて、対応する前記第２の層Ｌ１のアドレスに対して情報を記録するか否かを決定するようにしたことを特徴とする情報記録方法。
【請求項５】
前記第２の層のアドレスに情報を記録する場合、対応する前記第１の層Ｌ０のアドレスには情報が記録済みであることを前提としていることを特徴とする請求項４記載の情報記録方法。
【請求項６】
第１の層Ｌ０と第２の層Ｌ１とのトラック間ギャップをＧＡＰ、前記光ビームが第２の層にフォーカスされたときの第１の層におけるビームスポットの半径をｒ１としたとき、前記誤差管理情報は、少なくとも（ＧＡＰ＋ｒ１）以上を示す情報であることを特徴とする請求項４記載の情報記録方法。
【発明の詳細な説明】
【技術分野】
【０００１】
本発明は、２層構造であり、かつ追記型の記録媒体として有効な光ディスク及びその情報記録方法に関する。
【背景技術】
【０００２】
近年は、追記型の光ディスク（ＣＤ−Ｒ）が開発され、このＣＤ−Ｒに対して、記録装置を用いて、音楽データ、映像データなどを記録できる。この種の媒体として、最近では大容量のデータを記録可能なＤＶＤ（デジタルバーサタイルディスク）が開発されている。またＤＶＤは、基板が２枚貼りあわせられることで、ＣＤと同じ程度の厚みであることから、２層ディスクとして構成した提案が出されている。しかし２層ディスクは、ＤＶＤ−ビデオ、あるいはＤＶＤ−ＲＯＭは国際規格にもなり、詳細が広く知られているものの、記録可能なタイプのものは1層構造に関しては広く普及しているものの、２層構造に関しては最近になって商品化されたものの詳細は知られていない。
【特許文献１】特開平１１−２５９９１７号公報
【発明の開示】
【発明が解決しようとする課題】
【０００３】
ここで、２層構造のＤＶＤ−Ｒを実現するためには、いくつかの課題を解決しなければならない。今、追記型の２層構造の光ディスクにおいて、光ヘッドに近い記録層をＬ０、遠い方をＬ１とする。この場合、遠い層Ｌ１を記録するときは、近い層Ｌ０を通過した光で記録することになる。正常に記録するには、所定の記録ビームパワー（光強度）で記録する必要があるが、近い層Ｌ０の透過率は、近い層Ｌ０が記録済みか否かで変化する。そのため、遠い層Ｌ１の記録時に近い層Ｌ０の未記録領域と記録領域を跨ると、遠い層Ｌ１に到達する記録ビームパワーが変動し、正常な記録ができなくなる。
【０００４】
そこでこの発明は、２層構造のＤＶＤ−Ｒを実現するためにルールを設定し、安定した記録再生を可能とする光ディスク及びその記録再生方法を提供することを目的とする。
【課題を解決するための手段】
【０００５】
本発明では、２層の追記型の光ディスクにおいて、それぞれの層（遠い層Ｌ１と近い層Ｌ０）のアドレスの半径方向の相対位置のずれ量を、アドレスの差として表し、前記差の情報を、この光ディスクの記録可能な管理情報領域に記録したことを特徴とする。
【発明の効果】
【０００６】
上記の手段により、２つの層のうち、光ヘッドによりヘッドに遠い層（Ｌ１）へ情報を記録する際、記録するアドレスの管理を行うことができる。このために、遠い層（Ｌ１）へ情報を記録する際、例えば、近い層（Ｌ０）の記録済み領域或は未記録領域のいずれか一方のみを介して記録することが可能となる。これにより、遠い層（Ｌ１）に到達する照射ビームのパワー変動がなく、安定した記録が可能となる。
【発明を実施するための最良の形態】
【０００７】
以下、この発明の実施の形態を図面を参照して説明する。
【０００８】
図１には、２層の追記型ディスク１００に対して、対物レンズ２００を介してビーム２０１が照射されている様子を模式的に示している。Ｌ０は、光ヘッドから近い層（以下第１の層と称する）であり、Ｌ１は遠い層（以下第２の層と称する）である。図の状態は、ビーム２０１の焦点は、第２の層Ｌ１に合致している。
【０００９】
図２には、ビームスポットが形成される付近を拡大して示している。いま、第１の層Ｌ０には、左側から右方向（トラックでは、内周から外周）に向って、未記録エリアＡＲ１、記録済みエリアＡＲ２、未記録エリアＡＲ２が存在するものとする。さらに未記録エリアＡＲ１と記録済みエリアＡＲ２との境界をＡＤＲ１、記録済みエリアＡＲ２と未記録エリアＡＲ３の境界をＡＤＲ２として示している。
【００１０】
また、第２の層Ｌ１には、上記のエリアＡＲ１−ＡＲ３に対応して未記録エリアが存在するものとする。
【００１１】
ここで、記録の第１ルール（ビームパワーＰ１）として、記録済みエリアＡＲ２を介してデータを記録するものとする。すると、図２に示す様に、記録可能エリアＡＲ３は、記録済みエリアＡＲ２の内側に制限を受けることになる。つまり、記録可能エリアＡＲ３の境界ＡＤＲ３は、境界ＡＤＲ１より外側、境界ＡＤＲ４は、境界ＡＤＲ２より内側である。
【００１２】
この関係は、記録可能エリアＡＲ４に安定した記録を得るための関係である。境界ＡＤＲ１と、ＡＤＲ３とのずれは、第１の層Ｌ０に形成されるビームスポットの半径分以上であることが好ましい。
【００１３】
ここで、追記型光ディスクにおいては、記録する位置を、ディスクにあらかじめ記録された第１のアドレス情報を利用して決める。第１のアドレス情報は、例えばプリピットにより、ＥＣＣ（エラー訂正コード）ブロックを記録できる単位で、ランドプリピットによりトラック方向に沿って記録されている。このアドレスは、物理アドレスでありディスク製造時に記録される。
【００１４】
さらにトラックに記録される情報自身には、第２のアドレス情報が含まれる。第２のアドレス情報は、記録データのヘッダに含めて記録される。ここで、第１のアドレスと第２のアドレスは、一定の規則に基いて対応する。第２のアドレスは、第１のアドレスに基づいて換算されて得られる記録物理アドレスである。ディスク上の物理的アドレスを検出するには、第１のアドレスが利用され、ディスク上の記録データの物理的アドレスを検出するには、第２のアドレスが利用される。
【００１５】
なお、対応規則には、Ｌ０,Ｌ１のどちらの層であるかという情報に依存する場合もある。例えば、第１のアドレスが、第１と第２の層で内周から外周に向って同様に増加する場合がある。この場合は、アドレス又はアドレスとともに記録される付加情報が層識別情報を含む。また、第１のアドレスが第１の層の内周から外周に向って増加し、続けて第２の層の外周から、内周に向って、連続して増加する場合もある。第２のアドレスは、第１のアドレスを換算することで、データの記録開始位置、記録終了位置などを表している。
【００１６】
また追記型ディスクの場合、データが追記される毎に、データの書き始めと書き終わりを示す第２のアドレスが、管理領域に最新情報として追加記録されるようになっている。
【００１７】
さて、前述のように第２の層Ｌ１に情報を記録するには、対応する第１の層Ｌ０が記録済みであるか否かを判断する必要がある。このためには、アドレス情報から位置が判断できる必要がある。
【００１８】
このためには、第２の層Ｌ１のアドレスと第１の層Ｌ０のアドレスとの対応関係（ここでは上述した第１のアドレスの対応関係）が一定でなければならない。例えば、簡単のため、第１の層Ｌ０と第２の層Ｌ１で同一のアドレスが設定されているとする。
【００１９】
この場合、第２の層Ｌ１のアドレスＡに記録する場合、第１の層Ｌ０のアドレスＡが同一半径位置にあり、第１の層Ｌ０のアドレスＡの前後のある一定範囲（この範囲は、前述のＬ０におけるビーム半径で決まる）が、全て記録済み、あるいは未記録の一方であればよいことになる。
【００２０】
しかしながら、ディスクに記録される第１のアドレスと、その位置（半径方向の位置）の関係は、２つの層の間で誤差を持つ。この量が大きいと、アドレス情報を用いて、アドレスと位置との関係の正確な把握及び判定が困難になる。
【００２１】
この位置関係の誤差を生じる原因はいくつかある。この説明をする前にここで、１トラックを定義する。
【００２２】
図３はトラック３１を示す図である。記録単位、例えばＥＣＣブロックの先端が半径方向の黒点で示してある。ここでは、内周から外周に向かってスパイラス上にトラックが設けられている。ここであるアドレスからスタートして、１周以上経過する最小のアドレスの終わりまでを１トラックとする。このようにすると、重なった部分の幅が倍になるが、トラックピッチは、ＤＶＤにおいて約０.７umであるので、誤差数um単位程度で論じるには十分である。なお、記録単位であるECCブロックが、さらに分割して識別できる場合には、範囲の最小と最後の分割単位のみが部分的に隣接するようにしてもよい。これは実際には測定時の都合によりECCブロックとするか、さらにその内部の分割単位とするかを選択すればよい。
【００２３】
さて、層間の位置関係の誤差を生じる要因の、１つは偏心である、
図４（Ａ）―図４（Ｃ）は、第１の層Ｌ０と第２の層Ｌ１の１トラックを示すものであり、ここで誤差が全くない場合、Ｌ０とＬ１はディスク回転軸方向から見た場合、全く同一位置にあるとする。
【００２４】
図４（Ａ）の偏心した例は、ディスクの回転中心に対して、層Ｌ０と層Ｌ１の中心が、反対方向にずれている例である。図４（Ｂ）の偏心は、方向と量がまったく同じ場合であり、このときは、層Ｌ０とＬ１の位置は同じになる。
【００２５】
このような偏心は、ディスク基板に回転軸用の穴を開けるときの位置ずれや、層Ｌ１と層Ｌ０の基板を貼り合わせるときに生じる位置ずれ等が原因である。
【００２６】
次の要因は、半径誤差である。図４（Ｃ）は、全周に渡って同一値、半径がずれている場合である。この半径誤差は、ディスクの製造時に決まる。一般にこのずれは、同じ原盤記録機を使う場合は、半径が変化しても、アドレス換算したずれは大きく変化しない。つまり、記録開始位置がずれても、層Ｌ０、Ｌ１間の線記録密度やトラックピッチ誤差は小さい。
【００２７】
そこで、ディスクを製造した後、位置関係の誤差を測定し、その値をディスクに設けたディスク管理情報記録領域の一部に、相対位置誤差量を記録する。そして、この値を使ってアドレス認識を行う上での位置誤差を減らす。
【００２８】
例えば、層Ｌ０の第１のアドレスがＡ０とされ、同一半径の層Ｌ１の第１のアドレスがＡ１に定められているとする。半径がずれているので実際は、値Ａ０とＡ１とが異なる。すると、Ｄ=Ａ１-Ａ０として、このＤをディスクの管理情報記録領域に記録しておく。
【００２９】
この２層ディスクに対して情報を記録再生する情報記録再生装置は、この情報Ｄを利用して、層Ｌ０と層Ｌ１の同じ半径位置の第１のアドレスを正確に求めることができる。層Ｌ１の第１のアドレスＢに記録するとき、対応する層Ｌ０の第１のアドレスは、Ｂ-Ｄとなる。つまり、Ｂ−Ｄを中心とし、内外週に向かって後述のGAPに前述のビーム半径を加えた領域が記録済みであれば、設定したパワーで情報記録を実行することが可能であると判断できる。
【００３０】
実際には、若干、半径位置によって、理想のＤの値は異なる場合もあるので、その場合は、全面で一番、半径誤差が小さくなるようＤを設定すればよい。例えば、半径方向で複数個所のＤを求めてその平均を採用すればよい。
【００３１】
上記したように、第１の層Ｌ０と第２の層Ｌ１との間で、半径誤差Ｄを管理することにより、第２の層Ｌ１の第１のアドレスＢに記録するとき、対応する第１の層Ｌ０の第１のアドレスは、Ｂ-Ｄとなる。
【００３２】
さて、このように半径誤差が最小になるよう第１のアドレスを調整しても、まだ、偏心等の影響は残る。したがって、この発明では、さらに精度をあげるために、図５のように、層Ｌ０、層Ｌ１の第１のアドレス調整後の１トラックの最大ずれをギャップ（ＧＡＰ）として扱い、このＧＡＰがある一定量になるように、ディスクの仕様を定めるのである。つまり、このＧＡＰが、一定量以下であるディスクが仕様（規格上）のディスクであるとする。このように設定することで、ユーザ側での記録装置、再生装置においてもディスクの規格に対応して、記録能力、再生能力を設計することができるようになる。
【００３３】
ここでは、図６に示すように上記のＧＡＰに、前述のビーム半径を加えた値分（図２に示した分）だけ、層Ｌ１の記録領域（又は幅）が層Ｌ０より半径方向に、それぞれ両端が狭くなるようにすればよい。
【００３４】
なお、この図６は、層Ｌ０の記録済み領域を通した場合に層Ｌ１に記録可能とした場合であるが、層Ｌ０の未記録領域を通した場合にも記録可能としてもよいのは勿論である。
【００３５】
さて、このように層Ｌ１の記録可能領域は、層Ｌ０の記録済みの領域から半径方向に両端を（ＧＡＰ＋ビーム半径）分減らした領域となる。しかし、実際に層Ｌ１にデータを記録するには、（ＧＡＰ＋ビーム半径）の値を、第１のアドレスの層間のアドレス差に変換する必要がある。線記録密度一定で光ディスクに記録する場合、半径によって、半径方向の幅に相当する第１のアドレス差は異なってくる。
【００３６】
そのため、まず、層Ｌ０の領域の端の第１のアドレスＡ１から、半径Ｒ１を求め、次に半径Ｒ１に、（ＧＡＰ＋ビーム半径）を加えた、または引いた半径Ｒ２を求め、次に、この半径Ｒ２に対応するアドレスＡ２（層Ｌ０上）を求める。しかるのちに、アドレスＡ２に対応する層Ｌ１のアドレスを求めればよい。
【００３７】
例えば、次のようにして求める。まず、ディスクの基準となる半径をＲ０、アドレスをＡ０とする。これは、例えばユーザデータが記録可能なデータエリアの開始部分のアドレスと半径とする。
【００３８】
今、Ｌ０の領域の端のアドレスの１つがＡ１だとする。その半径Ｒ１は、以下の式で求まる。
【００３９】
（Ｒ１２  −  Ｒ０２）=Ｋ(Ａ１-Ａ０)          （１）
ここで、Ｋは、トラックピッチ、線記録密度、１アドレスの大きさ、アドレスの方向から定まる値であり、１記録単位の面積を２πで割ったものである。この式からＲ１を求める。Ｒ１は正の値である。規格で定めた最大ＧＡＰにビーム半径を加えた値をＧとする。
【００４０】
Ｒ１が、領域の半径方向外側の端だった場合、Ｌ１の記録可能な最大半径Ｒ２は
Ｒ２＝Ｒ１−Ｇ              （２Ａ）
となる。
【００４１】
逆にＲ１が、領域の半径方向内側の端だった場合、Ｌ１の記録可能な最小半径Ｒ２は
Ｒ２＝Ｒ１＋Ｇ              （２Ｂ）
となる。次に、Ｒ２に対応するアドレスＡ２を求める。
【００４２】
Ｒ１がＲ２より大きいか小さいかで、式が若干かわる。Ｒ２がＲ１より小さい場合（  式２ＡでＲ２を求めた場合）は
(Ｒ１２  −  Ｒ２２)  ≦  Ｋ(Ａ１-Ａ２)             (３Ａ)
を満たす、最大のアドレスＡ２が求めるアドレスである。ここでアドレスは整数で１刻みに変化するとしている。
【００４３】
Ｒ２がＲ１より、大きい場合、（  式２ＢでＲ２を求めた場合）は
(Ｒ２２  −  Ｒ１２)≦Ｋ（Ａ２-Ａ１）        （３Ｂ）
を満たす、最小のアドレスＡ２が求めるアドレスである。
【００４４】
このようにして、層Ｌ０上での、層Ｌ１の領域に対応するアドレスＡ２を求める。次にあらかじめ定められた層Ｌ０、層Ｌ１間の対応するアドレス変換規則に基づき、層Ｌ１のアドレスに変換する。例えば層Ｌ０と層Ｌ１間のアドレスが上下一致するべき定められていれば、アドレスＡ２が層Ｌ１のアドレスとなる。層Ｌ０から層Ｌ１へ連続してアドレスが付されていれば、Ａ２＋（層Ｌ０の最大アドレス）となる。
【００４５】
さて、ここで、上記計算に基づいた、Ｒ０およびＫの値は、規格で定めた値に対して誤差を持つ。そこで、Ｒ０の値とＫの値を、ディスクに記録しておき、これを利用して上記の計算をすることで、より精度の高い位置判断が可能となり、記録品質が向上する。
【００４６】
なお、Ｒ０とＫの値のどちらか一方をディスクに記録し、記録されていない値はディスクの規格から求まる値としてもよい。
【００４７】
また、直接Ｒ０とＫの値を記録せず、規格で定める標準値からの誤差を記録してもよい。また、Ｋの値も、１記録単位の面積を２πで割ったものとしたが、１記録単位の面積として、式に定数２πを入れるなどの変形は可能である。要は、２層タイプの光ディスクの管理領域に対して、層間の第１のアドレス（物理アドレス）の誤差管理情報を記録しておくことで、第２の層に情報を記録する場合、適切な領域を選択できるようになるし、また品質の良い記録が可能となる。また、本発明のディスクでは、記録単位毎に記録位置を示すアドレスがらせん状のトラックに記録されており、ある特定のアドレスの位置の半径または直径と、アドレスあたりの記録面積を表す値の少なくともどちらか一方の情報とがディスクの記録可能な管理情報領域に記録されている。したがってこの誤差管理情報に基づいて適切な記録アドレスを判定することが可能となる。
【００４８】
上記したように本発明により、２層の追記型の光ディスクにおいて、層Ｌ１に記録可能な領域を精度良く求めることができる。
【００４９】
第１のアドレスを補正可能にし、基準半径Ｒ０を記録し、１記録単位の面積に相当する値をディスクに記録することで、ディスクスタンパー製造時の要求精度が下がり、記録可能領域を正確に求めることができるといった効果が得られ、また許容ＧＡＰを定めることで正確に記録可能領域を求めれば、Ｌ０が記録済みの領域を通して、あるいはＬ０が未記録の領域を通してＬ１に記録することが保証される。したがって、記録信号の品位が上がり、エラーレートが低減し、確実な記録ができる。
【００５０】
図７に本発明の実施形態のひとつである光ディスク媒体の製造装置の一部であるマスタリング装置の構成図を示す。
【００５１】
原盤１１１は、光学系１１２からのレーザ光でカッティング処理される。原盤１１１は、スピンドル及びスライダー部１１３のスピンドルにより回転駆動される。また光学系１１２は、スライダーにより移動制御される。光学系１１２を介して、原盤である光ディスクから反射した反射光は、フォトディテクタ１１４で電気信号に変換され、その出力がサーボ回路１１５に入力される。サーボ回路１１５は、コントローラ１１６からの制御信号及びフォトディテクタ１１４からの電気信号に基いて生成した制御信号を用いて、光学系１１２のトラッキング及びフォーカスなどを制御する。またサーボ回路１１５は、スピンドル及びスライダー部１１３を介して、原盤の回転速度などを制御している。
【００５２】
コントローラ１１６は、フォーマッタ１１７を制御する。フォーマッタ１１７は、レーザドライバ１１８を制御して、光学系１１２から原盤１１１に照射されるレーザ光を制御している。またフォーマッタ１１７は、アドレスが形成されるように光学系１１２を制御している。
【００５３】
つまり図７のマスタリング装置では、フォーマッタ１１７からレーザードライバ(LDD)１１８に出力された信号に基づき、光学系１１２のレーザー光量が制御される。レーザーの光は光学系１１２に含まれるAO変調器、対物レンズ等を通過し、原盤に照射される。照射光のフォーカス等はサーボ回路１１５によって制御される。また、ディスクの回転や半径方向の位置も同様に制御される。原盤は光が当たった部分は感光されるので、この部分が案内溝等になる。
【００５４】
図８に光ディスク媒体作成のフローチャートを示す。本発明の光ディスク媒体は、原盤作成（ステップＳＴ１）、スタンパ作成（ステップＳＴ２）、成形（ステップＳＴ３）、媒体成膜（ステップＳＴ４）、張り合わせ（ステップＳＴ５）の工程で製作される。原盤作成工程では、平らな原盤にレジストを塗布し、その原盤上のレジストを図７のマスタリング装置で感光し、さらに感光したレジストを現像により取り除くことで、最終的な光ディスク媒体の情報記録層と同様の凹凸を有する原盤を作成する。スタンパ作成工程では、原盤にNi等のメッキを施し、十分な厚みの金属板にし、原盤を剥離してスタンパを製作する。このとき、原盤に形成された凹凸は反転してスタンパに形成されている。次に成形工程では、スタンパを雛形として、そこにポリカーボネイト等の樹脂を流し込み、基板の成形を行う。このとき、成形された基板の表面の凹凸はスタンパの凹凸が転写されたものであり、すなわち原盤の凹凸とほぼ同様の凹凸である。次に、もう一枚の基板を張り合わせて２層の光ディスク媒体が完成する。
【００５５】
図９は、記録再生装置の構成例である。この記録再生装置は、２種類のディスクドライブ部を有する。光ディスク５０１は、ビデオファイルを構築できる情報記録媒体である。ディスクドライブ部５０２は、光ディスク５０１を回転駆動し、情報の読み書きを実行する。５０４はハードディスクを駆動するハードディスクドライブ部である。データプロセッサ部５０３は、ディスクドライブ部５０２及びハードディスクドライブ部５０４に記録データを供給することができ、また、再生された信号を受け取ることができる。ディスクドライブ部５０２は、光ディスク５０１に対する回転制御系、レーザ駆動系、光学系などを有する。
【００５６】
データプロセッサ部５０３は、記録または再生単位のデータを取り扱うもので、バッファ回路、変調・復調回路、エラー訂正部などを含む。
【００５７】
この記録再生装置は、録画側を構成するエンコーダ部６００と、再生側を構成するデコーダ部７００と、装置本体の動作を制御するマイクロコンピュータブロック８００とを主たる構成要素としている。エンコーダ部６００は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００５８】
エンコーダ部６００の出力は、バッファメモリ６０３を含むフォーマッタ６０４にて所定のＤＶＤ−Ｒのフォーマットに変換され、先のデータプロセッサ部５０３に供給される。エンコーダ部６００には、ＡＶ入力部６１１からの外部アナログビデオ信号と外部アナログオーディオ信号、あるいはＴＶチューナ６１２からのアナログビデオ信号とアナログオーディオ信号が入力される。なお、エンコーダ部６００は、直接圧縮されたデジタルビデオ信号やデジタルオーディオ信号が直接入力されるときは、圧縮デジタルビデオ信号やデジタルオーディオ信号を直接フォーマッタ６０４に供給することもできる。またエンコーダ部６００は、アナログデジタル変換されたデジタルビデオ信号やオーディオ信号を、ビデオミキシング部７０５やオーディオセレクタ７０１に直接供給することもできる。
【００５９】
エンコーダ部６００に含まれるビデオエンコーダでは、デジタルビデオ信号はＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００６０】
副映像信号がＡＶ入力部６１１から入力された場合（例えば副映像信号の独立出力端子付ＤＶＤビデオプレーヤからの信号など）、あるいはこのようなデータ構成のＤＶＤビデオ信号が放送されてそれがＴＶチューナ６１２で受信された場合は、ＤＶＤビデオ信号中の副映像信号が副映像エンコーダでエンコード（ランレングス符号化）されて副映像のビットマップとなる。
【００６１】
エンコードされたデジタルビデオ信号、デジタルオーディオ信号、副映像データは、フォーマッタ６０４にてパック化され、ビデオパック、オーディオパック、副映像パックとなり、さらにこれらが集合されてＤＶＤ−レコーディング規格（例えばＤＶＤ−ＲＡＭ、ＤＶＤ−Ｒ、ＤＶＤ−ＲＷなどに記録する規格）で規定されたフォーマットに変換される。
【００６２】
ここでこの装置は、フォーマッタ６０４でフォーマット化された情報（ビデオ、オーディオ、副映像データなどのパック）及び作成された管理情報を、データプロセッサ部５０３を介してハードディスクドライブ部５０４あるいはデータディスクドライブ部５０２に供給し、ハードディスクあるいは光ディスク５０１に記録することができる。またハードディスクあるいは光ディスクに記録された情報を、データプロセッサ部５０３、ディスクドライブ部５０２を介して光ディスク５０１あるいはハードディスクに記録することもできる。
【００６３】
またハードディスクあるいは光ディスク５０１に記録されている複数番組のビデオオブジェクトを、一部削除したり、異なる番組のオブジェクトをつなげたり、といった編集処理を行うこともできる。これは、ＤＶＤフォーマットが取り扱うデータ単位を定義し、編集を容易にしているからである。
【００６４】
マイクロコンピュータブロック８００は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００６５】
マイクロコンピュータブロック８００のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００６６】
またマイクロコンピュータブロック８００は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００６７】
ＭＰＵの実行結果のうち、ユーザに通知すべき内容は、映像データ記録再生装置の表示部８０２に表示されるか、またはモニターディスプレイにＯＳＤ（オンスクリーンディスプレイ）表示される。またマイクロコンピュータブロック８００は、この装置を操作するための操作信号を与えるキー入力部８０１を有する。マイクロコンピュータブロック８００が、ディスクドライブ部５０２、ハードディスクドライブ部５０４、データプロセッサ部５０３、エンコーダ部６００及び／またはデコーダ部７００などを制御するタイミングは、ＳＴＣ（システムタイムクロック）８０３からの時間データに基づいて実行することができる。録画や再生の動作は、通常はＳＴＣ８０３からのタイムクロックに同期して実行されるが、それ以外の処理はＳＴＣ８０３とは独立したタイミングで実行されてもよい。
【００６８】
デコーダ部７００は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００６９】
デコーダ部７００の出力ビデオ信号は、ビデオミキシング部７０５に入力される。ビデオミキシング部７０５では、テキストデータの合成が行われる。またビデオミキシング部７０５には、ＴＶチューナ６１２やＡ／Ｖ入力部６１１からの信号を直接取り込むラインもまた接続されている。ビデオミキシング部７０５には、バッファとして用いるフレームメモリ７０６が接続されている。ビデオミキシング部７０５の出力がアナログ出力の場合はＩ／Ｆ（インタフェース）７０７を介して外部出力され、デジタル出力の場合はデジタルアナログ変換器７０８を介して外部へ出力される。
【００７０】
デコーダ部７００の出力オーディオ信号は、セレクタ７０１を介してデジタルアナログ変換器７０２でアナログ変換され外部に出力される。セレクタ７０１は、マイクロコンピュータブロック８００からのセレクト信号により制御される。これによりセレクタ７０１は、ＴＶチューナ６１２やＡ／Ｖ入力部６１１からのデジタル信号を直接モニタする時、エンコーダ部６００をスルーした信号を直接選択することも可能である。
【００７１】
なお、エンコーダ部６００のフォーマッタでは、録画中、各切り分け情報を作成し、定期的にマイクロコンピュータブロック８００のＭＰＵへ送る（ＧＯＰ先頭割り込み時などの情報）。切り分け情報としては、ＶＯＢＵ（ビデオオブジェクトユニット）のパック数、ＶＯＢＵ先頭からのＩピクチャのエンドアドレス、ＶＯＢＵの再生時間などである。
【００７２】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００７３】
また本装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００７４】
データプロセッサ部５０３は、エンコーダ部６００のフォーマッタからＶＯＢＵ単位のデータを受け取り、ＣＤＡ単位のデータをディスクドライブ部５０２あるいはハードディスクドライブ部５０４に供給している。またマイクロコンピュータブロック８００のＭＰＵは、記録したデータを再生するのに必要な管理情報を作成し、データ記録終了のコマンドを認識すると、作成した管理情報をデータプロセッサ部５０３に送る。これにより、管理情報がディスクに記録される。従って、エンコードが行われているとき、エンコーダ部６００からマイクロコンピュータブロック８００のＭＰＵは、データ単位の情報（切り分け情報など）を受け取る。また、マイクロコンピュータブロック８００のＭＰＵは、記録開始時には光ディスク及びハードディスクから読み取った管理情報（ファイルシステム）を認識し、各ディスクの未記録エリアを認識し、データ上の記録エリアをデータプロセッサ部５０３を介してディスクに設定している。
【００７５】
マイクロコンピュータブロック８００には、先に説明した記録層Ｌ１に情報を記録する場合、記録層Ｌ０の例えば、記録済み領域（若しくは未記録領域）を特定する機能が設けられている。また、ディスクの管理領域に記録されている誤差情報から、第１の記録層Ｌ１に対するアドレスを求める機能が設けられている。これらをまとめてＬ１層記録時のアドレス処理部として示している。
【００７６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７７】
【図１】本発明に係る２層構造の光ディスクと光ビームの関係を示す説明図。
【図２】本発明に係る光ディスクの記録可能領域の例を示す説明図。
【図３】本発明に係る光ディスクにおけるトラックの説明図。
【図４】２層構造の光ディスクにおいて層間のトラックの偏心状態の例を示す説明図。
【図５】層間のトラックのズレにより生じた最大ギャップとディスク仕様との関係を説明するために示した説明図。
【図６】層間のトラックのズレにより生じた最大ギャップとディスク仕様との関係を説明するために示した説明図。
【図７】光ディスク製造装置の一部であるマスタリング装置の構成例を示す図。
【図８】光ディスク媒体作成のフローチャートの例を示す図。
【図９】本発明に係る光ディスクに情報を器録再生する記録再生装置の構成例を示す図。
【符号の説明】
【００７８】
１００…光ディスク、２００…対物レンズ、Ｌ０…第１の層、Ｌ１…第２の層。
【図１】
2006024290.tif 000003
【図２】
2006024290.tif 000004
【図３】
2006024290.tif 000005
【図４】
2006024290.tif 000006
【図５】
2006024290.tif 000007
【図６】
2006024290.tif 000008
【図７】
2006024290.tif 000009
【図８】
2006024290.tif 000010
【図９】
2006024290.tif 000011